(57)【特許請求の範囲】
【請求項１】
土を盛り上げる盛土体と、
この盛土体による盛土を締め固めて水平面状の畦上面を形成する畦上面形成体とを具備し、
前記畦上面形成体は、基準中心軸線を中心として円を描くように移動する偏心回転中心軸線を中心として回転しながら、盛土を締め固めて畦上面を形成する上面形成部材を備え、
前記上面形成部材は、側面視で略多角形状または略楕円形状をなす外周形状に形成され、
畦形成作業時には、前記基準中心軸線と前記上面形成部材の下端位置との垂直距離が略一定になるように構成されている
ことを特徴とする畦塗り機。
【請求項２】
上面形成部材は、固定ギアの外周面に形成された外ギア部に噛み合う内ギア部を有する
ことを特徴とする請求項１記載の畦塗り機。
【発明の詳細な説明】
【技術分野】
【０００１】
本発明は、高さの安定した平坦な畦上面を形成できる畦塗り機に関するものである。
【背景技術】
【０００２】
従来、例えば下記の特許文献１に記載された畦塗り機が知られている。
【０００３】
この従来の畦塗り機は、元畦に土を盛り上げる盛土体と、所定方向に回転しながら盛土を締め固めて傾斜面状の畦側面を形成する畦側面形成体と、所定方向に回転しながら盛土を締め固めて水平面状の畦上面を形成する畦上面形成体とを備えている。そして、畦上面形成体は、ベース体と、このベース体に取り付けられた複数枚の圧締板体とを有している。各圧締板体は、可撓弾性を有するナイロン樹脂や塩化ビニール樹脂等の合成樹脂板により構成され、無負荷時には略平らとなり、外的負荷により弧状に撓むとともに負荷解除で弾性復元力により略平らに復帰する材質が用いられている。
【先行技術文献】
【特許文献】
【０００４】
【特許文献１】特開２０００−３７１０４号公報
【発明の概要】
【発明が解決しようとする課題】
【０００５】
しかしながら、上記従来の畦塗り機では、畦上面形成体の圧締板体が弾性復元力により元の略平らな形状に復帰する際に、畦上面の土を削り取ってしまい、高さの安定した平坦な畦上面が形成されないおそれがある。
【０００６】
本発明は、このような点に鑑みなされたもので、高さの安定した平坦な畦上面を形成できる畦塗り機を提供することを目的とする。
【課題を解決するための手段】
【０００７】
請求項１記載の畦塗り機は、土を盛り上げる盛土体と、この盛土体による盛土を締め固めて水平面状の畦上面を形成する畦上面形成体とを具備し、前記畦上面形成体は、基準中心軸線を中心として円を描くように移動する偏心回転中心軸線を中心として回転しながら、盛土を締め固めて畦上面を形成する上面形成部材を備え、前記上面形成部材は、側面視で略多角形状または略楕円形状をなす外周形状に形成され、畦形成作業時には、前記基準中心軸線と前記上面形成部材の下端位置との垂直距離が略一定になるように構成されているものである。
【０００８】
請求項２記載の畦塗り機は、請求項１記載の畦塗り機において、上面形成部材は、固定ギアの外周面に形成された外ギア部に噛み合う内ギア部を有するものである。
【発明の効果】
【０００９】
請求項１に係る発明によれば、畦上面形成体は、基準中心軸線を中心として円を描くように移動する偏心回転中心軸線を中心として回転しながら盛土を締め固めて畦上面を形成する上面形成部材を備え、上面形成部材は、側面視で略多角形状または略楕円形状をなす外周形状に形成され、畦形成作業時には、基準中心軸線と上面形成部材の下端位置との距離が略一定になるように構成されているため、高さの安定した平坦な畦上面を適切に形成できる。
【００１０】
請求項２に係る発明によれば、上面形成部材は、固定ギアの外周面に形成された外ギア部に噛み合う内ギア部を有するため、上面形成部材を適切に回転させることができる。
【図面の簡単な説明】
【００１１】
【図１】本発明の第１の関連技術に係る畦塗り機の概略平面図である。
【図２】同上畦塗り機の要部の平面図である。
【図３】同上畦塗り機の要部の分解平面図である。
【図４】同上畦塗り機の回転部材の側面図である。
【図５】同上畦塗り機の回動部材の側面図である。
【図６】同上畦塗り機のガイド溝部を示す図である。
【図７】同上畦塗り機の要部の側面図である。
【図８】同上畦塗り機の回動部材の動作説明図である。
【図９】本発明の第２の関連技術に係る畦塗り機の要部の平面図である。
【図１０】同上畦塗り機の要部の分解平面図である。
【図１１】同上畦塗り機の回転部材の側面図である。
【図１２】同上畦塗り機の回動部材の側面図である。
【図１３】同上畦塗り機のガイド溝部を示す図である。
【図１４】同上畦塗り機の要部の側面図である。
【図１５】本発明の第１の実施の形態に係る畦塗り機の要部の平面図である。
【図１６】同上畦塗り機の要部の分解平面図である。
【図１７】同上畦塗り機の要部の概略側面図である。
【図１８】（ａ）〜（ｅ）は同上畦塗り機の上面形成部材の動作説明図である。
【図１９】（ｆ）〜（ｉ）は図１８に続く動作説明図である。
【図２０】本発明の第２の実施の形態を示す側面図で、（ａ）〜（ｃ）が上面形成部材の動作説明図である。
【図２１】本発明の第３の実施の形態を示す側面図で、（ａ）〜（ｃ）が上面形成部材の動作説明図である。
【図２２】本発明の第４の実施の形態を示す側面図で、（ａ）〜（ｅ）が上面形成部材の動作説明図である。
【図２３】（ｆ）〜（ｉ）は図２２に続く動作説明図である。
【発明を実施するための最良の形態】
【００１２】
本発明の畦塗り機の第１の関連技術を図１ないし図８を参照して説明する。
【００１３】
図１において、１は畦塗り機で、この畦塗り機１は、走行車であるトラクタ（図示せず）の後部に連結されて使用される。
【００１４】
畦塗り機１は、図１に示されるように、トラクタの後部の３点リンク（作業機昇降支持装置）に連結された機体２と、機体２の一側前部に回転可能に設けられ田面および元畦の土を耕耘しその耕耘土を元畦の畦側面および畦上面に盛り上げる盛土体３とを備えている。
【００１５】
また、畦塗り機１は、機体２の一側後部に回転可能に設けられ盛土体３の後方で左右水平方向の回転中心軸線ａを中心として回転しながら盛土体３による盛土を締め固めて田面側に向って下り傾斜面状の畦側面を形成する略円錐台状の畦側面形成体（ディスク部）４と、機体２の一側後部に回転可能に設けられ盛土体３の後方で左右水平方向の回転中心軸線ａを中心として回転しながら盛土体３による盛土を締め固めて水平面状の畦上面を形成する略円柱状の畦上面形成体（上面ローラ部）５と、盛土体３の前方で元畦の畦上面を削る回転可能な上面削り体６とを備えている。
【００１６】
なお、互いに一体となって回転する畦側面形成体４と畦上面形成体５とにて、回転中心軸線ａを中心として回転しながら盛土を締め固めて新たな畦を形成する畦形成手段７が構成されている。
【００１７】
機体２は、トラクタの後部の３点リンクに連結された固定機枠11を有している。固定機枠11には水平回動可能な回動アーム12の一端部が回動可能に取り付けられ、この回動アーム12の他端部には可動機枠13が回動可能に取り付けられている。そして、可動機枠13に盛土体３、畦側面形成体４、畦上面形成体５および上面削り体６がそれぞれ回転可能に設けられている。
【００１８】
固定機枠11は、軸保持部14を有し、この軸保持部14には入力軸15が回転可能に設けられ、この入力軸15はトラクタのＰＴＯ軸にジョイントおよび伝動シャフト等を介して接続されている。
【００１９】
可動機枠13は、チェーンケース等の伝動ケースを兼ねたものであり、この可動機枠13は軸保持部16を有し、この軸保持部16には中間入力軸17が回転可能に設けられ、この中間入力軸17は固定機枠11側の入力軸15にジョイントおよび伝動シャフト等を介して接続されている。
【００２０】
また、可動機枠13は、図２および図３に示すように、畦形成手段７を両持ち状態で回転可能に支持する支持部21を有し、この支持部21は、箱形状のギアボックス22と支持アーム23とを有している。
【００２１】
ここで、支持アーム23は、アーム部24を有し、このアーム部24の先端部には鉛直状である垂直状の当て板等の支持板部25が固設されている。支持板部25には軸受用孔部26が形成され、この軸受用孔部26に軸受部材27が嵌着されている。また、支持板部25の内面、つまり畦形成手段７と対向する側の面にはガイド溝部30が形成されている。ガイド溝部30は、図６に示されるように、環状の第１溝形成部31と第２溝形成部32とにて区画形成され、側面視で略楕円形状になっている。
【００２２】
盛土体３は、図１に示されるように、可動機枠13にて回転可能に支持された前後水平方向の回転軸35を有し、この回転軸35の爪ホルダ36には、回転軸35と一体となって回転しながら田面および元畦の土を耕耘しその耕耘土を元畦の畦側面および畦上面に盛り上げる複数の耕耘爪37が脱着可能に設けられている。複数の耕耘爪37の上方部は図示しないカバー体にて覆われ、このカバー体にて耕耘土が畦側面および畦上面に案内される。盛土体３の回転軸35は、中間入力軸17側からの動力で所定方向に駆動回転する。
【００２３】
上面削り体６は、チェーンケース等の伝動ケース38にて回転可能に支持された前後水平方向の回転軸40を有し、この回転軸40の爪ホルダ41には、回転軸40と一体となって回転しながら元畦の畦上面を削る複数の耕耘爪42が脱着可能に設けられている。複数の耕耘爪42の上方部は図示しないカバー体にて覆われている。上面削り体６の回転軸40は、盛土体３の回転軸35に接続され伝動ケース38内に収容されたチェーン等からの動力で所定方向に駆動回転する。
【００２４】
畦側面形成体４は、図２に示されるように、支持部21のギアボックス22にて回転可能に支持された左右水平方向の回転軸45を有し、この回転軸45の軸芯が回転中心軸線ａ上に位置する。回転軸45の外周側には、田面側に向って拡径する略円錐台状に形成され回転軸45と一体となって回転中心軸線ａを中心として回転しながら盛土を締め固めて傾斜面状の畦側面を形成する側面形成部材46が略筒状の取付部材47等を介して取り付けられている。
【００２５】
畦上面形成体５は、図２、図５、図７および図８等に示されるように、回転中心軸線ａと平行な回動中心軸線ｂを中心として回動可能に設けられ回転中心軸線ａを中心とする回転時に一方向への回動により回転中心軸線ａを中心とする仮想円筒面50から外方に突出する突出状態になり回転中心軸線ａを中心とする回転時に他方向への回動により仮想円筒面50から突出しない非突出状態になる複数、例えば同一形状をなす４つの作用板等の回動部材51を有している。
【００２６】
そして、各回動部材51は、例えば金属板或いは合成樹脂板等にて形成されたもので、突出状態時には仮想円筒面（回転中心軸線ａ）50からの距離が回転方向前端側から回転方向後端側に向って徐々に増大するように位置し、非突出状態時には仮想円筒面50に沿って位置する円弧状の作用面52を有している。
【００２７】
また、各回動部材51は、作用面52の側端から側方に突出した先端側が支持板部25のガイド溝部30に挿入された左右水平方向の軸部53を回転方向後端側に有し、この軸部53がガイド溝部30と係合してこのガイド溝部30に沿って移動することにより、各回動部材51が回動中心軸線ｂを中心として回動するようになっている。
【００２８】
さらに、各回動部材51は、左右水平方向に延びる長手状の筒状部54を回転方向前端側に有している。そして、回動部材51の筒状部54には軸部材であるボルト55の軸部56が挿通され、このボルト55の軸部56の先端部が取付部材47のねじ孔部57に螺合連結されており、回動部材51はガイド溝部30のガイドに基づいてボルト55の軸部56に対して回動中心軸線ｂを中心として回動可能になっている。ボルト55の軸部56の軸芯が回動中心軸線ｂ上に位置する。
【００２９】
また、ボルト55の軸部56は、支持アーム23の支持板部25の軸受部材27にて回転可能に支持されたフランジ等の回転部材61の孔部62に挿通されている。この回転部材61は、図２ないし図４に示されるように、略円板状の板部63と、この板部63の中心部に突設され軸受部材27に挿入された軸部64とを有している。板部63には、回動部材51の軸部53が挿通されこの軸部53をガイドする複数、例えば４つの略円弧状のガイド部65が外周縁から中心側に向って切欠形成されている。各ガイド部65は、孔部62を中心とする円弧上に位置するように形成されている。
【００３０】
そして、図７および図８から明らかなように、畦塗り機１では、畦形成作業時には、回転中心軸線ａと回動部材51の下端位置との垂直距離Ｌが略一定になるように構成されている。また、畦側面形成体４および畦上面形成体５の周速、つまり畦形成手段７の周速は、畦形成手段７が畦面に対してスリップ状態で回転するようにトラクタの走行速度より速い値に設定される。
【００３１】
次に、上記畦塗り機１の作用等を説明する。
【００３２】
畦塗り機１をトラクタの後部に連結した状態でトラクタを元畦に沿って前進走行させると、畦塗り機１はトラクタとともに進行方向前方（図１中、矢印方向）に向って移動する。
【００３３】
そして、この移動時に、耕耘爪37，42にて所望量の土が元畦の畦側面および畦上面に盛り上げられ、回転中心軸線ａを中心としてスリップ回転する畦側面形成体４および畦上面形成体５にて盛土が締め固められて畦側面および畦上面が形成される。
【００３４】
このとき、畦上面形成体５の回動部材51は、畦側面形成体４とともに回転中心軸線ａを中心として回転しつつ、軸部53がガイド溝部30に沿って移動することにより回動中心軸線ｂを中心として回動する。
【００３５】
そして、図７および図８に示すように、回動部材51は、畦側面形成体４の進行方向前側下部の位置のみにおいて仮想円筒面50から外方に突出する突出状態になり、このため、突出状態の回動部材51の作用面52にて、盛土が掻き込まれつつ徐々に圧縮されて所望の畦上面が形成される。
【００３６】
また、畦側面形成体４の下端位置では回動部材51が非突出状態になり、回動部材51の作用面52は仮想円筒面50に沿って位置する。
【００３７】
このように畦塗り機１によれば、畦形成手段７の畦上面形成体５は、回動中心軸線ｂを中心として回動可能で一方向への回動により仮想円筒面50から外方に突出する突出状態になり他方向への回動により仮想円筒面50から突出しない非突出状態になる複数の回動部材51を備え、畦形成作業時には、回転中心軸線ａと回動部材51の下端位置との垂直距離Ｌが略一定になるように構成されているため、回動部材51で畦上面の土を削り取ってしまうこともなく、また畦形成手段７が上下振動することもなく、高さの安定した平坦な畦上面を形成できる。
【００３８】
また、各回動部材51は、突出状態時には仮想円筒面50からの距離が回転方向前端側から回転方向後端側に向って徐々に増大するように位置し非突出状態時には仮想円筒面50に沿って位置する円弧状の作用面52を有するため、その円弧状の作用面52にて高さの安定した平坦な畦上面を適切に形成できる。
【００３９】
さらに、軸部53をガイド溝部30に沿って移動させることで各回動部材51を適切に回動させることができ、回動部材51を回動させる別途のモータ等の駆動手段を必要としない。
【００４０】
なお、例えば図示しないが、回転方向に隣り合う回動部材51間の隙間を閉塞する閉塞部材を設けるようにしてもよい。
【００４１】
また、回動部材51の非突出状態とは、仮想円筒面50から全く突出しない厳密な意味での非突出には限定されず、仮想円筒面50から外方へ若干突出するものでもよい。
【００４２】
さらに、上記第１の関連技術では、４つの回動部材51を備えた構成について説明したが、回動部材51の数は任意であり、例えば図９ないし図１４に示す第２の関連技術のように８つの回動部材51を備えた構成でもよい。
【００４３】
図９ないし図１４に示す第２の関連技術では、畦上面形成体５が８つの回動部材51を備え、回動部材51は、図５に示すものとは異なり、この回動部材51の回動支点となる左右水平方向の支軸部71を有している。支軸部71の軸芯が回動中心軸線ｂ上に位置する。
【００４４】
また、図１０および図１１に示されるように、回転部材61は、図４に示すものとは異なり、軸芯が回転中心軸線ａ上に位置する軸部72と、この軸部72の軸方向両端に設けられた略円板状の板部73とを有している。軸部72の軸方向一端部は回転軸45に連結され、軸部72の軸方向他端部は軸受部材27にて回転可能に支持されている。板部73には、回動部材51の軸部53が挿通されこの軸部53をガイドする８つの略円弧状で長孔状のガイド部65が形成されている。各ガイド部65は、孔部62を中心とする円弧上に位置するように形成されている。また、孔部62には回動部材51の支軸部71が挿通され、回動部材51はガイド溝部30のガイドに基づいて回転部材61に対して回動中心軸線ｂを中心として回動可能になっている。
【００４５】
なお、回転部材61は、ボルト用孔74に挿通された取付ボルト75によって取付部材47に取り付けられている。またその他の構成は第１の関連技術と同じである。
【００４６】
そして、第２の関連技術でも、上記第１の関連技術と同様、畦形成作業時には回転中心軸線ａと回動部材51の下端位置との垂直距離Ｌが略一定であるため、回動部材51で畦上面の土を削り取ってしまうこともなく、また畦形成手段７が上下振動することもなく、高さの安定した平坦な畦上面を形成できる等の作用効果を奏することができる。
【００４７】
次に、本発明の畦塗り機の第１の実施の形態を図１５ないし図１９を参照して説明する。
【００４８】
図１５ないし図１９に示す第１の実施の形態では、畦上面形成体５は、畦側面形成体４の回転軸45の軸芯を通る基準中心軸線（畦側面形成体４の回転中心軸線）ｃを中心として円を描くように移動する偏心回転中心軸線ｄを中心として回転しながら、盛土体３による盛土を締め固めて畦上面を形成する略筒状の上面形成部材81を備えている。すなわち、畦上面形成体５は、基準回転中心軸線である基準中心軸線ｃを中心として回転すると同時にその基準中心軸線ｃと平行な偏心回転中心軸線ｄを中心として回転しながら、盛土体３による盛土を締め固めて畦上面を形成する略筒状の上面形成部材81を備えている。
【００４９】
上面形成部材81は、図１７に示されるように、側面視で略多角形状、すなわち例えば角部が湾曲状にされた略三角形状をなす外周形状に形成されている。上面形成部材81は、例えば金属板或いは合成樹脂板等にて形成されたもので、基準中心軸線ｃからの距離が回転方向前端側から回転方向後端側に向って徐々に増大するように位置する略円弧状の第１外周面82および基準中心軸線ｃからの距離が回転方向前端側から回転方向後端側に向って徐々に減少するように位置する略円弧状の第２外周面83を有している。
【００５０】
また、上面形成部材81は、例えば外周形状が略三角形状をなす上面形成ローラ85と、上面形成ローラ85の被取付部86に取り付けられた筒状の可動ギア（筒状部材）87と、上面形成ローラ85の軸受部88に取り付けられた偏心軸受89とを有している。偏心軸受89は、互いに軸芯がずれた第１軸受部91と第２軸受部92とを有している。
【００５１】
そして、畦側面形成体４の回転軸45にこの回転軸45に対して偏心して連結固定された偏心回転軸93の外周側に、上面形成ローラ85が回転可能に設けられている。すなわち上面形成部材81は、回転軸45に対して偏心した偏心回転軸93にて回転可能に支持されている。この偏心回転軸93の軸芯は偏心回転中心軸線ｄ上に位置する。また、偏心回転軸93の先端側の挿入軸部93aが偏心軸受89の第１軸受部91内に挿入されている。
【００５２】
また一方、可動機枠13の支持アーム23の支持板部25の内面には、軸状の固定ギア（軸部材）95が固設されている。固定ギア95の外周面には基準中心軸線ｃを中心とする外ギア部96が形成されている。そして、上面形成部材81の可動ギア87の内周面には、固定ギア95の外ギア部96に噛み合う内ギア部97が形成されている。また、固定ギア95の先端側の挿入軸部96aが偏心軸受89の第２軸受部92内に挿入されている。
【００５３】
さらに、この畦塗り機１では、畦形成作業時には、基準中心軸線ｃと上面形成部材81の下端位置との垂直距離Ｌが略一定になるように構成されている。なお、その他の構成は第１の関連技術と同じである。
【００５４】
そして、図１８および図１９の（ａ）〜（ｉ）に示すように、畦上面形成体５の上面形成部材81は、偏心回転軸93とともに基準中心軸線ｃを中心として回転すると同時に、偏心回転軸93を中心つまり偏心回転中心軸線ｄを中心として回転しながら、盛土を掻き込みつつ徐々に圧縮するように締め固めて畦上面を形成するが、この際、基準中心軸線ｃと上面形成部材81の下端位置との垂直距離Ｌは略一定である。
【００５５】
したがって、第１の実施の形態でも、上記各関連技術と同様、上面形成部材81で畦上面の土を削り取ってしまうこともなく、また畦形成手段７が上下振動することもなく、高さの安定した平坦な畦上面を形成できる等の作用効果を奏することができる。
【００５６】
なお、上面形成部材81は、側面視で略三角形状をなす外周形状に形成されたものには限定されず、例えば図２０の（ａ）〜（ｃ）に示す側面視で略四角形状をなす外周形状に形成されたもの（第２の実施の形態）や、図２１の（ａ）〜（ｃ）に示す側面視で略五角形状をなす外周形状に形成されたもの（第３の実施の形態）でも、第１の実施の形態と同様の作用効果を奏することができる。
【００５７】
また、上面形成部材81は、側面視で略多角形状をなす外周形状に形成されたものには限定されず、例えば図２２および図２３の（ａ）〜（ｉ）に示す側面視で略楕円形状をなす外周形状に形成されたもの（第４の実施の形態）であっても、第１の実施の形態と同様の作用効果を奏することができる。
【００５８】
さらに、例えば図示しないが、固定ギア95および可動ギア87に代えて、固定摩擦車および可動摩擦車を利用した構成でもよい。
【符号の説明】
【００５９】
１    畦塗り機
３    盛土体
５    畦上面形成体
81    上面形成部材
95    固定ギア
96    外ギア部
97    内ギア部
ｃ    基準中心軸線
ｄ    偏心回転中心軸線
【図１】
0005368593.tif 000002
【図２】
0005368593.tif 000003
【図３】
0005368593.tif 000004
【図４】
0005368593.tif 000005
【図５】
0005368593.tif 000006
【図６】
0005368593.tif 000007
【図７】
0005368593.tif 000008
【図８】
0005368593.tif 000009
【図９】
0005368593.tif 000010
【図１０】
0005368593.tif 000011
【図１１】
0005368593.tif 000012
【図１２】
0005368593.tif 000013
【図１３】
0005368593.tif 000014
【図１４】
0005368593.tif 000015
【図１５】
0005368593.tif 000016
【図１６】
0005368593.tif 000017
【図１７】
0005368593.tif 000018
【図１８】
0005368593.tif 000019
【図１９】
0005368593.tif 000020
【図２０】
0005368593.tif 000021
【図２１】
0005368593.tif 000022
【図２２】
0005368593.tif 000023
【図２３】
0005368593.tif 000024